(57)【要約】【課題】  本発明は、樹脂成形によって加工された洗濯挟みに係るもので、組み立ての簡素化を目的としたものである。【解決手段】  現在、使用されている洗濯挟みの多くは、同形状のものを２個使用して組み合わせ、Ｃ型の強い線バネを使用して、左右の銜え込み部先端を押さえ込んで、洗濯物を挟み込む設計になっている。しかし、簡単そうに見える組み付けが、Ｃ型の強い線バネの扱いが大変である。従って本発明では、Ｃ型バネを使用しない設計での洗濯挟みを開発し、洗濯挟みの左右摘まみ部２．３の内側に、圧力バネ８の取り付け凸部７を設けて、摘まみ部末端を開く方法の圧力バネ８を組み付けて、洗濯物を挟み込む銜え口４に、挟み込み圧力を発揮させる洗濯挟みの構造。【選択図】              図２
2006034902.tif 000002
【特許請求の範囲】
【請求項１】
樹脂成形によって洗濯挟みを加工するに当たり、組み立ての簡素化を目的に、洗濯挟みの構造を改良し、左右の摘まみ部を、摘まみ部本体として一体成形し、洗濯物を挟み込む銜え口に、挟み圧力を発生させる為、左右の摘まみ部内側に、圧力バネを装着するための凹形をした凸部を設けて、左右摘まみ部の連結部を支点とし、洗濯物を挟み込む銜え口が比較的簡単に、開閉できるように成形して、摘まみ部末端の双方が開く方向の、コイル形状の圧力バネを凸部外周に装着して、銜え口に挟み圧力を発生させて、洗濯物を挟み込むことができる、洗濯挟みの構造。
【請求項２】
ポリアセタール等バネ性の高い樹脂材を以って、逆Ｖ字形の圧力バネを成形し、前記の圧力バネ設置個所に装着した、請求項１の洗濯挟みの構造。
【請求項３】
洗濯挟みに使用する圧力バネの材質を、バネ鋼板で以ってプレス機械加工により、逆Ｖ字形の圧力バネを成形し、前記の圧力バネ設置個所に装着した、請求項１の洗濯挟みの構造。
【請求項４】
本発明の洗濯挟みで、最も安価に加工するために、洗濯物を挟み込むための圧力バネを金属線材によって逆Ｖ字形に成形し、洗濯挟みの左右摘まみ部内側の、凸部に設けられている凹形部所に装着して、銜え口に洗濯物を挟み込む圧力を与える、請求項１の洗濯はさみの構造。
【発明の詳細な説明】
【技術分野】
【０００１】  本発明は、合成樹脂の材質を以って製作した、洗濯挟みの構造に係るものである。
【背景技術】
【０００２】  従来より使用されている洗濯挟みの多くは、同形状の２個を用いて組み立て、洗濯物を挟み込むためのバネ圧力を得るために、鉄線のＣ型バネが使用されているが、そのＣ型バネの組み込みに手間が掛かっている。
【発明の開示】
【発明が解決しようとする課題】
【０００３】  上述したように、洗濯挟みの組み立てに手間の掛かる、Ｃ型バネを廃止する新しい設計を取り入れて、手間の掛かりを極力少なくして、組み立ての簡素化を図ることにある。
【課題を解決するための手段】
【０００４】  本発明の洗濯挟みは、従来に無かった新しい構造をしたもので、洗濯挟みの左右の摘まみ部を、摘まみ部本体として一体成形し、左右の摘まみ部が連結している部分を支点として、洗濯物を挟み込む銜え口が、閉じたり開いたり軽く作動が出来るような形状とする。【０００５】  そして、左右の摘まみ部内側に、圧力バネを装着する凹形をした凸部を設けて、左右摘まみ部末端を開かせる、コイル形状の圧力バネを凸部外周に装着することで、洗濯挟みの洗濯物を挟み込む銜え口に、締め付け圧力が発生して、洗濯物を挟み込むことが出来るのである。そして、錆びの発生問題から、この圧力バネはステンレス材を使用する。【０００６】  洗濯物を挟み込む銜え口に、締め付け圧力を与える圧力バネは、洗濯挟みを使用する場所によって、その場に合った材質又は形状を選択して、洗濯挟みに組み込む事で、洗濯挟みを屋外に放置するような時には、樹脂製の圧力バネを組み込んだ物、或るいは、屋内で使用する物であれば、金属製の圧力バネを使用しても、鉄錆びが発生して、洗濯物を汚す心配はなくなる。【０００７】  上述した本発明の洗濯挟みは、従来品と比較した場合に若干高価になる。そのため安価に製作するため、金属線の圧力バネを逆Ｖ字形に成形し、左右摘まみ部内側の凸部に設けられた凹形部所に装着して、洗濯物を挟み込む銜え口に、締め付け圧力を発生させる。
【発明の効果】
【０００８】  従来品の洗濯挟みと比較した場合に、組み立て時間については手離れがよくなって、組み立て費の軽減につながる。従って、組み立ての簡素化につながると共に、洗濯挟みの使用状態を考え、その場に合った洗濯挟みを選別して使用することが出来る。【０００９】  現在使用している洗濯挟みは、上記したように、洗濯物を挟み込む圧力バネに、鉄製のＣ型バネが用いられているため、屋外に放置したりして雨又は夜露等により、錆びることがよくあり、洗濯物を汚していた。しかし、本発明品はこのような場合、樹脂製の圧力バネを装着した洗濯挟みを使用することで、錆びの問題は発生しない。
【発明の実施するための最良の形態】
【００１０】  図面を以って説明すると、図１は樹脂成形した時点での、本発明洗濯挟みの摘まみ部本体１で、左右の摘まみ部２．３が支点６で連結して成形している。成形した時点では、洗濯物を挟み込む銜え口４は、成形型の関係で開いて成形する。そして、摘まみ部２．３の内側に凸部７を設けて、銜え口４に洗濯物を挟み込むために、圧力バネ８を装着してやることで、図２のように銜え口４に、洗濯物を挟み込むバネ圧力が発生する。そして洗濯挟みを吊るす穴５を双方の摘まみ部内側に設けておく。
【００１１】  図３は、ポリアセタール等の高いバネ性を持った、樹脂材で成形した圧力バネ９で、図４が図３の圧力バネ９の角穴１０を摘まみ部２．３の凸部７に、装着して組み付けられた洗濯挟みである。
従来品の洗濯挟みで、圧力バネに錆びの問題が有るなかで、当圧力バネ９を使用した洗濯挟みは、錆びについては何ら問題はない。
【００１２】  図５は材質を金属バネとして、プレス機械に依って加工した圧力バネ１１で、板厚が少しでも薄い材料が使用できるように、金属製の巻尺の如くに逆Ｒ１３を加工し、角穴１２を図６のように双方の摘まみ部２．３の凸部７に、装着して組み付けられた洗濯挟みである。この金属製の圧力バネは、プレス加工後錆び止めの鍍金が施される。
【００１３】  図７は洗濯挟みの価格を格安にするため、圧力バネに金属製の線バネ１５を逆Ｖ形状に加工して、錆び止めの鍍金を施した後、洗濯挟み摘まみ部双方の、凸部７に設けられた凹形部所１４に装着すれば、洗濯挟みの銜え口に、洗濯物を挟み込むバネ圧力が発生する。
【図面の簡単な説明】
【００１４】
【図１】  樹脂成形した時点の本発明洗濯挟みの正面図とその矢視Ａ図。
【図２】  図１の洗濯挟みに圧力バネを装着した洗濯挟みの完成正面図と右側面図。
【図３】  バネ性樹脂で成形した圧力バネの正面図と右側面図。
【図４】  図３の圧力バネを装着した洗濯挟みの完成正面図。
【図５】  金属製圧力バネのプレス機械加工品で正面図と右側面図。
【図６】  図５の金属製圧力バネを装着した洗濯挟みの完成正面図。
【図７】  金属線によって加工された圧力バネの正面図。
【図８】  図７の金属線の圧力バネを装着した洗濯挟みの完成正面図。
【符号の説明】
【００１５】          １  摘まみ部本体
２  左摘まみ部
３  右摘まみ部
４  銜え口
５  吊るす穴
６  支点
７  凸部
８  圧力バネ
９  樹脂製圧力バネ
１０  角穴
１１  金属製圧力バネ
１２  角穴
１３  プレス加工のＲ部
１４  凸部７に設けられた凹形部所
１５  金属線の圧力バネ
１６  支点６の壁
１７  吊るす穴５の外壁
【図１】
2006034902.tif 000003
【図２】
2006034902.tif 000004
【図３】
2006034902.tif 000005
【図４】
2006034902.tif 000006
【図５】
2006034902.tif 000007
【図６】
2006034902.tif 000008
【図７】
2006034902.tif 000009
【図８】
2006034902.tif 000010